(57)【要約】      （修正有）【課題】定型資料を定型サイズ毎に、資料を傷つけることなくかつその量の多少にかかわりなく、簡便に分類整理して１本の結索用紐でファイルし、ファイルした資料を取り出したり、新たな資料の追加を容易に簡便にできるようにし、活用しやすくするファイルを提供する。【解決手段】長方形の２枚の硬質シートによる表紙用板の各辺縁の辺縁に沿った中ほどに挿通孔と、一の隅の隣合う辺縁に挿通孔と離れて２か所の切欠とを設け、そのすべての挿通孔及び切欠に１本の結索用紐を連続して通して、結索用紐の両端部を途中でもつれ防止用リングに通したうえで係止具で係止し、係止具を操作しながら結索用紐をゆるく絞るようにした。【選択図】図１
0003166644.tif 000002
【実用新案登録請求の範囲】
【請求項１】
複数の挿通孔と２か所の切欠をそれぞれ面対称の位置に持つ２枚の硬質シートによる表紙用板のすべての挿通孔に１本の結索用紐を連続して通し、結索用紐の両端部を途中でもつれ防止用リングに通したうえで係止具で係止し、係止具を操作しながら結索用紐をゆるく絞るようにしたことにより、総体の外形が概略箱体をイメージ出来るとともに、２枚の表紙用板を該箱体の表表紙と裏表紙となして、該表表紙と裏表紙の間に、年賀状やその他のはがきや定型書類等を、これらに穿孔することなくそのまま挟みこみ、大分類用のインデックス用の中仕切り（大見出し）を該書類間に適宜に挟み、更にその下位分類用のインデックス用の中仕切り（小見出し）を大分類書類間に適宜に挟んだのち、結索用紐をさらに絞って長さを調節して当該表表紙と裏表紙の各２か所の切欠に引っ掛けるだけで全体を一気にファイルすることができるようにしたことを特徴とするファイル
【請求項２】
硬質シートは、紙板、プラスチック板、木板、金属板、陶板のいずれかである請求項１のファイル
【請求項３】
結索用紐は、伸縮性の紐又は伸縮性の乏しい紐である請求項１又は２のファイル
【考案の詳細な説明】
【技術分野】
【０００１】  本案は、ファイルすべき定型資料を、資料に穿孔することなくかつその量の多少にかかわりなく、複数の挿通孔を有する２枚の平板な板状物を表裏の表紙板としてその間に挟み、１本の結索用紐を該表紙板のすべての挿通孔に通して該表紙板を結索し、適宜にインデックス用の中仕切りを挿入することで、整理分類してファイル出来るようにするものである。
【背景技術】
【０００２】  従来、資料に穿孔することなくファイルできる商品として広く使用されているものに合成樹脂の透明袋を用いたもの（特許文献１参照）があるが、ファイル出来る資料の量は袋の数に制限を受けて不便であり、資料の整理分類に必ずしも利便性があるとは言えない。また、ばね金具を利用して資料を挟みこむファイルもあり、ファイルの背側内面に粘着性物質を接着あるいは塗布してこれに資料を溶着、接着させるタイプのファイル（特許文献２、特許文献３参照）もあるが、いずれも増えていく資料に柔軟に対応することは難しい。あるいは、ファイル資料の量の増減に柔軟に対応する綴じ込みファイル装置（特許文献４参照）もあるが、綴り込むには資料に穿孔を必要とする。【０００３】  従来技術は、ファイルの背側内寸によって、自ずと資料の最大収納量が決められてしまい、一方、収納量が少ない場合は無駄な空き空間を占有していた。また、資料に穿孔して留め具で係止するシステムのファイルでは、適する資料と適さない資料があり、一旦収納した資料の取り出しや再収納は極めて不自由であった。
【先行技術文献】
【特許文献】
【０００４】
【特許文献１】実開平７−１８８８０
【特許文献２】実用新案登録第３１２１６４０号（Ｕ３１２１６４０）
【特許文献３】特開２０００−３０１８７７（Ｐ２０００−３０１８７７Ａ）
【特許文献４】実開平５−４４１５４
【考案の概要】
【考案が解決しようとする課題】
【０００５】  そこで本考案は、複数の挿通孔を有する２枚の平板な硬質シートの板状物である表紙用板の間にファイルすべき定型資料を挟み、１本の結索用紐によって結索する。その際、ファイルすべき定型資料に穿孔することなくかつその量の多少にかかわりなくファイルでき、かつ資料間に適宜にインデックス用の中仕切りを挟むことで、整理分類して収納し、必要資料の出し入れ、新たな資料の追加等が容易かつ簡便に出来るようにすることを課題とするものである。
【課題を解決するための手段】
【０００６】  上記課題を解決することを目的としてなされた本考案の構成は、複数の挿通孔と２か所の切欠を互いに面対称の位置に持つ２枚の厚板紙ないしは合成樹脂板等の硬質シートの表紙用板のすべての挿通孔に１本の結索用紐を連続して通し、結索用紐の両端部を途中でもつれ防止用リングに通したうえで係止具、例えばコードストッパーで係止し、コードストッパーを操作しながら結索用紐を絞るようにした。そうすると総体の外形は概略箱体をイメージ出来るようになり、このため２枚の表紙用板は、該箱体状の表表紙と裏表紙となり、該表表紙と裏表紙の間に年賀状やその他のはがきや定型書類等を挟み、結索用紐を更に絞って長さを調節して当該表表紙と裏表紙の各２か所の切欠に引っ掛けるだけで全体を一気にファイルすることができる。【０００７】  また、収納する年賀状やその他のはがきや定型書類等には、予め分類整理するためのインデックス用の中仕切りを書類間に適宜に挟んでおくことにより、後日、収納したファイル中から必要書類を見出しに従って取り出したり、新たに収納する資料も見出しに従って整理分類して容易にファイルすることができる。
【考案の効果】
【０００８】  本考案は上記の構成であるから、資料は定型サイズによってファイルされており、その資料の量に煩わされることなく、穿孔などで資料を傷つけることもなく、簡易にファイルでき、後の出し入れも極めて容易である。インデックス用の中仕切り（大見出し）、インデックス用の中仕切り（小見出し）を用いることで、書類を整理することができ、貴重な情報の活用が便利になる。材料も、表紙用板２枚と結索用紐、係止具、もつれ防止用リングなので、極めて安価である。
【図面の簡単な説明】
【０００９】
【図１】ファイルの斜視図である。
【図２】結索用紐と挿通孔との経路図である。
【図３】インデックス用の中仕切り（大見出し）図である。
【図４】インデックス用の中仕切り（小見出し）図である。
【考案を実施するための形態】
【００１０】  図１は、はがきを資料としてファイルしたファイルの斜視図である。結索用紐（５）を切欠ａ１とａ２、切欠ｂ１とｂ２に引っ掛けて係止具（４）を操作しながら結索用紐（５）を絞っていくと表表紙（１）と裏表紙（２）の間隔がせばまり、内部の資料をしっかりとファイルする。
【００１１】  逆に、結索用紐（５）をａ１とｂ１の切欠から外すと、結索用紐は自然にａ２、ｂ２の切欠からも外れて孔ａ３と孔ｂ３の間隔が大きく広がり、中の資料の出し入れは自由に行うことができる。結索用紐（５）をまた切欠ａ２−ａ１、切欠ｂ２−ｂ１に引っ掛けると、再びしっかりファイルできる。もつれ防止リング（３）があるので、結索用紐（５）を引っ掛ける方向を間違えることはなく、混乱を防ぐことができる。
【００１２】  図２は、結索用紐と挿通孔との経路図であり、結索用紐（５）の一方の先端が係止具（４）から、表表紙（１）の切欠ａ１を通って裏表紙（２）の切欠ｂ１を通り係止具（４）に至る経路を示している。結索用紐の経路をたどると、次のようになる。ａ１−ａ２−もつれ防止用リング（３）−ｂ３−ｂ４−ａ５−ａ６−ｂ７−ｂ８−ａ８−ａ７−ｂ６−ｂ５−ａ４−ａ３−もつれ防止用リング（３）−ｂ２−ｂ１となる。結索用紐（５）の両端はコードストッパーで係止される。
【００１３】  図３及び図４は、インデックス用の中仕切りである。図３（６）ａは大分類用のインデックス用の中仕切り（大見出し）であり、図４（６）ｂは、小分類用のインデックス用の中仕切り（小見出し）である。（６）ａは項目部分が（６）ｂの項目部分より大きく、（６）ｂの項目部分は（６）ａより小さく、一瞥してそれぞれの区別がつく。
【００１４】  インデックス用の中仕切りの利用方法を、図１を定型書類の一つであるはがきを分類整理するファイルと仮定して説明する。たとえば、図３（６）ａのインデックス用の中仕切り（大見出し）には、訃報・法事、お祝い事、年賀状、暑中見舞い、その他等々、予め見出し部分に印刷あるいは自ら筆記し、大分類項目として用いる。また、図４（６）ｂのインデックス用の中仕切り（小見出し）には、故郷・親戚、学校友達、社会人友達、ビジネス関係、その他等々を小分類項目とし、予め見出し部分に印刷あるいは自ら筆記し、大分類の中をさらに細かく分類する機能を持たせる。さらに、インデックス用の中仕切りの色彩を変えるなどすれば、樹状的な分類整理を行うことができ、いっそう判り易くすることができる。
【００１５】  ファイルの表表紙、裏表紙をなす表紙用板は、定型資料の定型サイズの周囲に挿通孔や切欠を設ける程度の余部を設けることができる大きさとし、材質は硬質シートたとえば厚板紙あるいは合成樹脂板や木板、金属板、ガラス板、陶板などを用いる。結索用紐には伸縮性のあるゴム紐がもっとも適するが、伸縮性の乏しい紐でも良い。係止具は、市販のコードストッパーを用いることもできる。もつれ防止用リングには円環状の市販のリングでも十分である。インデックス用の中仕切りについては、彩色紙や色印刷を施すなどして区別がしやすくしたり、見出し項目を予め印刷したり、見出し項目を印刷した粘着シートを利用したり、あるいは自ら筆記して、資料分類に利用者の意図を簡易に反映できるようにする。
【００１６】  なお、図２に示すごとく、表紙底辺部の挿通孔は表表紙２孔、裏表紙の面対称位置に２孔、合計４孔あり、この場合、結索用紐は底面部で１回交差する。郵便はがき用のファイルの場合、これで十分な安定性があるが、より大きな定型サイズの場合、たとえばＡ４サイズの書類であると、交差１回では底面部の安定性を欠くこともある。その場合は、各表紙の底辺部の挿通孔の個数を、２×ｎ個を増やせば、底面での結索用紐の交差回数はｎ回増えるのでより安定性を増すことができる。これは、底辺だけでなく、その他の辺についても同様であるが、底辺部と側辺部との挿通孔の個数が同数である必要はなく、各辺の必要に応じて増減すれば良い。
【００１７】  ファイルの収納能力を、郵便はがきを定型書類とし図１のごとくファイルしたファイル例をもって説明する。郵便はがきであれば、結索用紐に伸縮性を有するゴム紐約１１０センチメートル程度の長さで、ほとんど力を要することなく、受領したはがき略３００枚をファイルできる。結索用紐をしっかり引っ張って使えば、略５００枚以上をファイルすることも十分にできる。一個人が１年に１冊を使用するとした場合、１年間に来信するはがき量としては十分であろうと思われる。また、場合によっては数年分を１冊のファイルにまとめることも可能であり、インデックス用の中仕切りを利用して、家族全員のはがきを１冊にまとめてファイルすることも可能である。もちろん、結索用紐を長くすれば、収納能力も増大する。
【符号の説明】
【００１８】（１）    表表紙
（１）ａ  表表紙外面
ａ１      表表紙の側辺の切欠
ａ２      表表紙の天辺の切欠
ａ３からａ８まで  表表紙の挿通孔
（２）    裏表紙
（２）ａ  裏表紙外面
ｂ１      裏表紙の側辺の切欠
ｂ２      裏表紙の天辺の切欠
ｂ３からｂ８まで  裏表紙の挿通孔
（３）    もつれ防止用リング
（４）    係止具
（５）    結索用紐
（６）ａ  インデックス用の中仕切り（大見出し）
（６）ｂ  インデックス用の中仕切り（小見出し）
（７）    資料
【図１】
0003166644.tif 000003
【図２】
0003166644.tif 000004
【図３】
0003166644.tif 000005
【図４】
0003166644.tif 000006
【手続補正書】
【提出日】平成22年12月10日(2010.12.10)
【手続補正１】
【補正対象書類名】実用新案登録請求の範囲
【補正対象項目名】全文
【補正方法】変更
【補正の内容】
【実用新案登録請求の範囲】
【請求項１】
長方形の形をなす同形の２枚の硬質シートによる表紙用板の各辺縁の辺縁に沿った中ほどに１か所又は複数の挿通孔と、一の隅の隣合う辺縁に挿通孔と離れて各１か所合計２か所の切欠とを、これら２枚の表紙用板の面対称の位置に設け、そのすべての挿通孔及び切欠に１本の結索用紐を連続して通して、結索用紐の両端部を途中でもつれ防止用リングに通したうえで係止具で係止し、係止具を操作しながら結索用紐をゆるく絞るようにしたことにより、総体の外形が概略箱体をイメージ出来るとともに、２枚の表紙用板を該箱体の表表紙と裏表紙となして、該表表紙と裏表紙との間に、年賀状やその他のはがきや定型書類等を、これらに穿孔することなくそのまま挟みこみ、大分類用のインデックス用中仕切りを該書類間に適宜に挟み、更にその下位分類用のインデックス用中仕切りを大分類書類間に適宜に挟んだのち、結索用紐をさらに絞って長さを調節して当該表表紙と裏表紙の各２か所の切欠に引っ掛けるだけで全体を一気にファイルすることができるようにしたことを特徴とするファイル。
【請求項２】
硬質シートは、紙板、プラスチック板、木板、金属板、陶板のいずれかである請求項１のファイル。
【請求項３】
結索用紐は、伸縮性の紐又は伸縮性の乏しい紐である請求項１又は２のファイル。